(57)【要約】【課題】本発明が解決しようとする課題は、回数券を分け合う処理ができる駅務装置、回数券処理システム及び回数券処理プログラムを提供することである。【解決手段】実施形態の駅務装置は、販売手段と、第１の手段と、第２の手段と、を有する。販売手段は、利用者によって操作され、所定枚数からなる回数券の権利を販売する。第１の手段は、前記販売手段によって販売された所定枚数からなる回数券の権利のうち、第１の枚数の回数券の権利を利用者が提示する第１の無線媒体の識別番号に対応付けする。第２の手段は、前記販売手段によって販売された回数券の権利のうち、前記所定枚数と前記第１の枚数との差の枚数の範囲内の第２の枚数の回数券の権利を前記第１の無線媒体とは異なる第２の無線媒体の識別番号に対応付けする。【選択図】  図１
2018169917.tif 000002
【特許請求の範囲】
【請求項１】
利用者によって操作され、所定枚数からなる回数券の権利を販売する販売手段と、
前記販売手段によって販売された所定枚数からなる回数券の権利のうち、第１の枚数の回数券の権利を利用者が提示する第１の無線媒体の識別番号に対応付けする第１の手段と、
前記販売手段によって販売された回数券の権利のうち、前記所定枚数と前記第１の枚数との差の枚数の範囲内の第２の枚数の回数券の権利を前記第１の無線媒体とは異なる第２の無線媒体の識別番号に対応付けする第２の手段と、
を有する駅務装置。
【請求項２】
前記第１の手段は、第１の枚数の回数券の権利の情報を前記第１の無線媒体に記録し、
前記第２の手段は、前記第２の枚数の回数券の権利の情報を前記第２の無線媒体に記録する、
請求項１に記載の駅務装置。
【請求項３】
前記第１の無線媒体に記録されている回数券の権利の情報を読取る読取手段と、
前記読取り手段によって読取られた回数券の権利の情報に基づいて、前記第１の無線媒体とは異なる第３の無線媒体に回数券の権利を付与する第３の枚数の入力を受け付ける入力手段と、
前記第１の無線媒体から読み取られた回数券の枚数と前記入力手段によって入力された前記第３の枚数との差の枚数の回数券の権利の情報を前記第１の無線媒体に記録し、前記第３の枚数の範囲内の枚数の回数券の権利の情報を第３の無線媒体に記録する記録手段と、
を更に有する請求項２記載の駅務装置。
【請求項４】
前記第２の手段は、
前記第２の無線媒体の識別番号に対応付けする第２の枚数を選択させる選択手段、をさらに有し、
前記選択手段は、前記所定枚数と前記第１の枚数との差の枚数の範囲内で前記第２の枚数の回数券の権利を選択させる、
請求項１又は請求項２のいずれか１つに記載の駅務装置。
【請求項５】
前記入力手段は、前記第１の無線媒体から読み取られた第３の枚数を超えない範囲で前記第３の無線媒体に付与する回数券の枚数の権利を入力させる、
請求項３に記載の駅務装置。
【請求項６】
駅務装置と、前記駅務装置と通信可能なサーバ装置と、を備える回数券処理システムであって、
前記サーバ装置は、
利用者によって操作され、所定枚数からなる回数券の権利を販売する販売手段と、
前記販売手段によって販売された所定枚数からなる回数券の権利のうち、第１の枚数の回数券の権利を利用者が指示する第１の無線媒体の識別番号に対応付けて記憶する第１の記憶手段と、
前記販売手段によって販売された回数券の権利のうち、前記所定枚数と前記第１の枚数との差の枚数の範囲内の第２の枚数の回数券の権利を前記第１の無線媒体とは異なる第２の無線媒体の識別番号に対応付けて記憶する第２の記憶手段と、を有し、
前記駅務装置は、
利用者が提示する第１の無線媒体から第１の無線媒体の識別番号を読取る読取手段と、
前記読取手段が読み取った前記第１の無線媒体の識別番号を前記サーバ装置に送信する送信手段と、
前記送信手段によって送信された前記第１の無線媒体の識別番号に基づいて、前記第１の記憶手段が記憶した前記第１の枚数の回数券の権利の情報を前記サーバ装置より受信する受信手段と、
前記受信手段が受信した第１の枚数の回数券の権利の情報を前記第１の無線媒体に記録する記録手段と、を有する
回数券処理システム。
【請求項７】
前記読取手段は、利用者が提示する第２の無線媒体から前記第２の無線媒体の識別番号を読取り、
前記送信手段は、前記読取手段が読み取った前記第２の無線媒体の識別番号を前記サーバ装置に送信し、
前記受信手段は、前記送信手段によって送信された前記第２の無線媒体の識別番号に基づいて、前記第２の記憶手段が記憶した前記第２の枚数の回数券の権利の情報を前記サーバ装置より受信し、
前記記録手段は、前記受信手段が受信した第２の枚数の回数券の権利の情報を前記第２の無線媒体に記録する、
請求項６に記載の回数券処理システム。
【請求項８】
前記読取手段は、利用者が提示する第１の無線媒体から前記第１の無線媒体に記録されている回数券の権利の情報を読取り、
前記駅務装置は、
前記読取り手段によって読取られた回数券の権利の情報に基づいて、前記第１の無線媒体とは異なる第３の無線媒体に回数券の権利を付与する第３の枚数の入力を受け付ける入力手段と、
前記第１の無線媒体から読み取られた回数券の枚数と前記入力手段によって入力された前記第３の枚数との差の枚数の回数券の権利の情報を前記第１の無線媒体に記録し、前記第３の枚数の回数券の権利の情報を第３の無線媒体に記録する記録手段と、
をさらに有する、請求項６又は請求項７のいずれかに記載の回数券処理システム。
【請求項９】
コンピュータに、
利用者によって操作され、所定枚数からなる回数券の権利を販売する手順と、
販売された所定枚数からなる回数券の権利のうち、第１の枚数の回数券の権利を利用者が提示する第１の無線媒体の識別番号に対応付けする手順と、
販売された回数券の権利のうち、前記所定枚数と前記第１の枚数との差の枚数の範囲内の第２の枚数の回数券の権利を前記第１の無線媒体とは異なる第２の無線媒体の識別番号に対応付けする手順と、
を実行させる回数券処理プログラム。
【発明の詳細な説明】
【技術分野】
【０００１】
本発明の実施形態は、駅務装置、回数券処理システム及び回数券処理プログラムに関する。
【背景技術】
【０００２】
鉄道の駅等に設置される自動券売機は、入場券、乗車券、回数券、定期券、ストアードフェアカード（ＳＦカード）などの券媒体の発行や、券媒体に対する種々の処理を行う。
【０００３】
近年、券媒体として、駅務装置と無線でデータの送受信を行うことにより、種々の処理を受け付けることができるＩＣ（Ｉｎｔｅｇｒａｔｅｄ  Ｃｉｒｃｕｉｔ）を有したＩＣカード（無線媒体）が券媒体として普及している。
【０００４】
磁気券などの券媒体の利用頻度は減少しているものの、その反面、回数券などには磁気券が広く利用されている。ＩＣカードに回数券情報を書き込むことで、ＩＣカードでも回数券が利用できるが、磁気券の回数券と違い、ＩＣカードの回数券では他者と分け合うことができない。
【先行技術文献】
【特許文献】
【０００５】
【特許文献１】特開２０１０−１３４７８３号公報
【発明の概要】
【発明が解決しようとする課題】
【０００６】
本発明が解決しようとする課題は、回数券を分け合う処理ができる駅務装置、回数券処理システム及び回数券処理プログラムを提供することである。
【課題を解決するための手段】
【０００７】
実施形態の駅務装置は、販売手段と、第１の手段と、第２の手段と、を有する。販売手段は、利用者によって操作され、所定枚数からなる回数券の権利を販売する。第１の手段は、前記販売手段によって販売された所定枚数からなる回数券の権利のうち、第１の枚数の回数券の権利を利用者が提示する第１の無線媒体の識別番号に対応付けする。第２の手段は、前記販売手段によって販売された回数券の権利のうち、前記所定枚数と前記第１の枚数との差の枚数の範囲内の第２の枚数の回数券の権利を前記第１の無線媒体とは異なる第２の無線媒体の識別番号に対応付けする。
【図面の簡単な説明】
【０００８】
【図１】実施形態１に係る駅務装置を含む駅務システムの一例を示す図。
【図２】実施形態１に係る無線媒体の機能構成の一例を示した図。
【図３】実施形態１に係る回数券情報の一例を示す図。
【図４】実施形態１に係る自動券売機の機能構成の一例を示す図。
【図５】実施形態１に係る自動券売機が表示する回数券購入案内表示の一例を示す図。
【図６】実施形態１に係る自動券売機が実行する回数券処理の流れの一例を示すフローチャート。
【図７】実施形態１に係る自動券売機が実行する回数券購入を伴わない回数券処理の流れの一例を示すフローチャート。
【図８】実施形態２に係る回数券利用権限付与システムの構成の一例を示した図。
【図９】実施形態２に係る回数券利用権限付与システムの回数券処理の流れの一例を示す図。
【発明を実施するための形態】
【０００９】
以下、図面を参照しつつ、実施形態に係る駅務装置、回数券処理システム及び回数券処理プログラムについて説明する。
【００１０】
（実施形態１）
まず、図１を参照して、駅務システムの構成について説明する。図１は、実施形態１に係る駅務装置を含む駅務システムの一例を示す図である。図１では、駅務システム１が広域ネットワーク１６を介して外部システムと接続されている。
【００１１】
なお、駅務システムは、例えば、駅ごとに構成されても良く、複数の駅務システムが広域ネットワーク１６を介して繋がれても良い。また、後述する駅務システム１が有する駅務装置である、自動券売機、自動改札機、自動精算機、及び定期券発行機、についても、それぞれ複数の駅務装置がネットワーク１５を介して繋がれても良い。
【００１２】
駅務システム１は、例えば、鉄道などの駅ごとに構成される。駅務システム１は、駅に設置された複数の自動券売機１０、複数の自動改札機１１と、複数の自動精算機１２と、複数の定期券発券機１３と、サーバ１４と、を有する。
【００１３】
サーバ１４は、たとえば、プロセッサ、メモリ、各種インターフェースなどを有するサーバコンピュータにより構成される。サーバ１４は、各駅の自動券売機１０と、自動改札機１１と、自動精算機１２と、定期券発券機１３などの駅務装置と、データ通信を行う機能を有する。
【００１４】
図１では、サーバ１４を駅に一台設置されている構成となっているが、その限りではなく、サーバ１４は、管理区、複数の駅、或いは複数の駅務システム１に対して一台設置するように配置しても良い。この場合、自動券売機１０などの駅務装置と、サーバ１４と、をつなぐネットワーク１５は、後述するローカルネットワークではなく、広域ネットワークなどを用いても良い。
【００１５】
サーバ１４は、駅あるいは管理区ごとに設けられるデータ集計機などの装置を介して、各駅の駅務装置とデータ通信するようにしても良い。例えば、サーバ１４は、各駅務装置からの問合わせを受けて、問合せに対する応答を行う機能や、各駅務装置のログ情報を収集し、記憶する機能を有する。また、サーバ１４は、外部システムと通信する機能を有する。サーバ１４は、外部システムからの情報提供を受けて、外部システムから取得した情報を駅務装置に送信する機能を有する。
【００１６】
自動券売機１０は、たとえば、各駅の改札口などに設置される。自動券売機１０は、利用者自身により操作される自動券処理機としての機能を有する。例えば、自動券売機１０は、利用者から受領した金額に応じて、乗車券、回数券、特急券、割引券あるいは企画券などの券媒体を発券する販売手段を有する。また、自動券売機１０は、利用者から受領した金額に応じて、電子マネーとして利用可能な金額情報を書込んだ無線媒体２０（例えば、ＩＣカード）を新規に発券したり、利用者が所持している無線媒体２０に記録されている電子マネーとして利用可能な金額情報を更新したりする販売手段も有する。
【００１７】
自動改札機１１は、利用者が所持する券媒体に記録されている情報に基づいて利用者の通行を制御（入出場処理）するものである。自動改札機１１は、例えば、駅の改札口などに設置される。
【００１８】
自動改札機１１は、券媒体としての磁気券、或いは無線媒体２０などを処理する処理機能を有する。すなわち、自動改札機１１は、利用者が所持する券媒体に記録されている情報を読取り、券媒体から読取った情報に基づいて利用者の通行（入場或いは出場）の可否を判定し、その判定結果に基づいて利用者の通行を制御する。
【００１９】
自動精算機１２は、例えば、各駅の構内に設置される。自動精算機１２は、利用者自身により操作される自動券処理機としての機能を有する。自動精算機１２は、乗り越し運賃などの精算処理を行う装置である。例えば、自動精算機１２は、乗車券、回数券、或いは定期券、などの乗車券媒体に対して精算処理を行う。例えば、自動精算機１２は、利用者が所持している券媒体を用いて駅から出場するには不足している金額を精算し、精算完了後に精算券を発券する。また、自動精算機１２は、利用者が所持している無線媒体２０に電子マネーとして利用可能な金額情報を更新する機能を有する。
【００２０】
定期券発券機１３は、たとえば、各駅などに設置される。定期券発券機１３は、駅係員により操作される自動券処理機としての機能を有する。定期券発券機１３は、利用者から金額を受領して、定期券情報を書込んだ券媒体（例えば、無線媒体２０、又は磁気券）を新規に発券したり、定期券として利用する券媒体に記録されている定期券情報を更新することにより継続定期券を発行したりする機能を有する。
【００２１】
ネットワーク１５は、例えばＰｒｏｆｉｂｕｓ、ＭｏｄｂｕｓやＴＣ−ｎｅｔなどのフィールドバス、などのローカルな有線通信回線を用いても良いし、無線ＬＡＮや９２０ＭＨｚ帯等のローカルな無線通信回線を用いても良い。
【００２２】
広域ネットワーク１６は、例えばインターネットや専用回線などの広域な有線通信回線であっても良いし、３Ｇなどの広域な無線通信回線でも良い。
【００２３】
次に、図２を参照して、券媒体である無線媒体２０について説明する。図２は、実施形態１に係る無線媒体２０の機能構成の一例を示した図である。
【００２４】
無線媒体２０は、ＣＰＵ２１と、ＲＯＭ２２と、ＲＡＭ２３と、メモリ２４と、送受信回路２５と、アンテナ２６と、電源生成部２７と、を有する。ＣＰＵ２１と、ＲＯＭ２２と、ＲＡＭ２３と、メモリ２４と、送受信回路２５と、電源生成部２７と、などの各部は、ＩＣチップにより構成され、ＩＣチップとアンテナ５６とを接続したモジュールがプラスチックなどで形成されたカード状の本体（筐体）内に埋設され、無線媒体２０を構成している。
【００２５】
ＣＰＵ２１は、無線媒体２０の制御手段として機能し、無線媒体２０全体の制御を司るものである。ＣＰＵ２１は、ＲＯＭ２２などのメモリに記憶されたプログラムを実行することにより種々の処理機能を実現する。例えば、ＣＰＵ２１は、ＲＯＭ２２に記憶されたプログラムを実行することにより、自動券売機１０や、自動改札機１１、自動精算機１２、定期券発券機１３などの駅務装置から受信したコマンドに応じた各種の処理を実現するようになっている。
【００２６】
ＲＯＭ２２は、プログラムメモリとして機能し、例えば、マスクＲＯＭなどの書換え不可能な不揮発性メモリにより構成されている。ＲＯＭ２２には、無線媒体２０の動作を司る制御プログラムやデータなどが記憶されている。駅務装置などの外部からの種々のコマンドに対する無線媒体２０の動作は、ＲＯＭ２２に記憶される各コマンドに対応する各制御プログラムにより実現される。
【００２７】
ＲＡＭ２３は、ワーキングメモリとして機能し、書換え可能な揮発性メモリにより構成されている。ＲＡＭ２３は、例えば、駅務装置などとの通信データやＣＰＵ２１により実行される種々の処理における作業用のデータなどを一時的に記憶するバッファメモリとして利用される。
【００２８】
メモリ２４は、書換え可能な不揮発性のデータメモリとして機能し、たとえば、ＲＯＭやフラッシュメモリなどの記憶内容が書換え可能な不揮発性のメモリにより構成されている。メモリ２４には、例えば、乗車券情報１００と、定期券情報１０１と、ＳＦ情報１０２と、回数券情報１０３と、が記録される。
【００２９】
メモリ２４に記憶される乗車券情報１００は、自動改札機１１などの駅務装置が有する書込手段によって一部の情報が書き換えられる。例えば、乗車券情報１００は、無線媒体２０固有の番号である識別番号、無線媒体発行会社の情報、券種を示す券種情報や、改札の入出場処理に必要な入場駅、入場時間、入場フラグ、出場駅、出場時間、出場フラグや、個人情報（氏名、連絡先等）、利用履歴情報のなど情報である。
【００３０】
定期券情報１０１は、例えば、定期区間、有効期間などの情報である。ＳＦ情報１０２は、例えば、電子マネーとして利用可能な金額情報などの情報である。回数券情報１０３は、回数券の権利を示す情報である。例えば、利用者が購入した回数券の情報である。
【００３１】
送受信回路２５は、アンテナ２６を介して外部機器とのデータ通信を行うものである。送受信回路２５は、例えば、変調回路、復調回路、送信回路及び受信回路などにより構成される。
【００３２】
アンテナ２６は、電波の送受信を行うものである。アンテナ２６は、例えば、無線媒体２０の筐体内に埋設され、ＣＰＵ２１、ＲＯＭ２２、ＲＡＭ２３、メモリ２４、送受信回路２５及び電源生成部２７などの機能を有するＩＣチップに接続されている。
【００３３】
送受信回路２５及びアンテナ２６は、無線媒体２０から情報を送信するための送信手段、或いは駅務装置から情報を受信する受信手段などの通信手段として機能し、駅務装置とのデータの送受信を実現するものである。例えば、駅務装置から電波で送信されたコマンドは、アンテナ２６により受信されて受信信号として送受信回路２５に供給される。
【００３４】
送受信回路２５では、アンテナ２６から供給された受信信号を復調してＣＰＵ２１へ供給するようになっている。また、無線媒体２０内で生成された送信データは、送受信回路２５により変調されてアンテナ２６を介して外部へ送信される。
【００３５】
電源生成部２７は、無線媒体２０の電源生成手段として機能し、アンテナ２６が受信した電力波から動作電圧を生成するものである。電源生成部２７は、アンテナ２６が受信した電力波から生成した動作電圧を無線媒体２０内の各部に供給するようになっている。
【００３６】
次に、図３を参照して、無線媒体２０が有するメモリ２４に記憶される回数券情報１０３について説明する。図３は、実施形態１に係る回数券情報１０３の一例を示す図である。
【００３７】
回数券情報１０３は、回数券を使用するための回数券の権利を示す情報であり、回数券が使用できる鉄道会社を識別する情報２００と、回数券の種別を識別する情報２０１と、回数券１枚あたりの乗車運賃の情報２０２と、回数券の使用開始日の情報２０３と、回数券の使用終了日（期限日）の情報２０４と、何枚分の回数券を使用する権利を所有しているかを示す回数券の所有枚数の情報２０５と、を有する。
【００３８】
次に、図４を参照して、駅務装置としての自動券売機１０について説明する。図４は、実施形態１に係る自動券売機１０の機能構成の一例を示す図である。
【００３９】
自動券売機１０は、制御部４０と、表示部４１と、係員用表示部４２と、カード処理部４３と、音声部４４と、紙幣処理部４５と、データメモリ４６と、硬貨処理部４７と、通信部４８と、発券部５０と、を有する。
【００４０】
制御部４０は、自動券売機１０全体の制御を司るものである。制御部４０は、ＣＰＵ４０ａと、メモリ４０ｂと、図示しない各種のインターフェースと、を有する。メモリ４０ｂは、ＲＡＭ、ＲＯＭ、及び、書換え可能な不揮発性メモリ（例えば、ＥＥＰＲＯＭ等）などを含む。
【００４１】
メモリ４０ｂは、ＣＰＵ４０ａが実行する各種プログラムを記憶する。例えば、回数券を何枚分利用可能かを示す回数券の所有枚数を複数の無線媒体２０に分け与える回数券処理プログラムを記憶する。制御部４０は、回数券処理プログラムを実行することで、利用者が購入した回数券の回数券情報１０３を無線媒体２０が有するメモリ２４に記録し、また、回数券の所有枚数を他の無線媒体２０に所有枚数分の範囲内の任意の分だけ分け与えることができる。
【００４２】
制御部４０は、前述した回数券処理プログラム以外にも、ＣＰＵ４０ａがメモリ４０ｂに記憶したプログラムを実行することにより種々の機能を実現する。例えば、制御部４０は、自動券売機１０内の各部にインターフェースを介して接続され、自動券売機１０内の各部を制御する。
【００４３】
表示部４１は、利用者に対して種々の案内などを表示する表示装置である。表示部４１は、利用者が操作入力する入力手段としてのタッチパネル４１ａを有する。表示部４１は、タッチパネル内蔵の液晶表示装置などにより構成する。
【００４４】
表示部４１は、操作案内などとともに、利用者に所望の操作を選択させる選択手段として、選択ボタンを表示する。タッチパネル４１ａは、選択ボタンの表示部位へのタッチ（押下）を検知する。例えば、表示部４１は、所望の乗車券を選択するための金額を表示した選択ボタン（或いは行先を表示した選択ボタン）を表示し、選択ボタンの表示部位に利用者がタッチしたことをタッチパネル４１ａにより検知する。
【００４５】
係員用表示部４２は、係員に対して種々の案内などを表示する表示装置である。係員用表示部４２は、タッチパネル４２ａを有する。係員用表示部４２は、タッチパネル内蔵の液晶表示装置などにより構成される。係員用表示部４２には、係員による操作を受付けるための種々のキーが表示され、それらのキーの表示部位をタッチすることにより係員による種々の操作を受付けるようになっている。
【００４６】
また、制御部４０は、表示部４１および係員用表示部４２を制御する機能を有している。すなわち、表示部４１あるいは係員用表示部４２に表示する内容は、制御部４０が制御する。また、表示部４１のタッチパネル４１ａあるいは係員用表示部４２のタッチパネル４２ａへの入力は、制御部４０が検出する。
【００４７】
音声部４４は、音声案内を行う。音声部４４は、スピーカーなどを有する。音声部４４は、音声データに応じた音声を発する。例えば、音声部４４は、表示部４１に表示する案内に関連した音声案内を出力する。表示部４１、及び音声部４４は、言語設定に応じた案内を行う案内部あるいはお知らせを報知するための報知部として機能する。
【００４８】
データメモリ４６は、各種のデータを記憶する。例えば、データメモリ４６は、図示しない運賃メモリを有する。運賃メモリは、運賃データなどを記憶する。また、データメモリ４６は、制御部４０が各種の判断を行うための設定データ、表示部４１、係員用表示部４２に表示する表示データ、および、音声部が音声案内を行うための音声データなどを記憶する。
【００４９】
通信部４８は、サーバ１４或いは他の駅務装置とのデータ通信を行なうための通信ユニットである。通信部４８は、例えば、ネットワークインターフェースである。
【００５０】
カード処理部４３は、図示しないカード口に接続されている。カード処理部４３は、カード口に挿入された無線媒体２０などのカードを処理し、処理済みのカードをカード口から排出する。つまり、カード処理部４３は、提示された無線媒体２０から情報を読み取る読取手段と、提示されたカードに情報を記録する記録手段と、を有する。
【００５１】
また、カード処理部４３が処理する対象が、例えば、無線媒体２０であれば、カード口ではなく無線媒体２０を置いたり、セットしたりする台やホルダーでも良い。
【００５２】
カード処理部４３は、取り扱うカードとして記憶媒体の種類に応じた処理ユニットを有している。例えば、カード処理部４３は、非接触式の無線媒体２０に対する読取手段もしくは記録手段として、非接触式の無線媒体２０との通信を行うためのリーダライタを有する。
【００５３】
また、磁気情報が記憶される磁気カードを取り扱う場合、カード処理部４３は、磁気情報の読取り及び書込みを行うための手段として、磁気ヘッドなどを有する。例えば、カード処理部４３が取り扱うカードの形態としては、たとえば、ストアードフェア（ＳＦ）カード、定期券、クレジットカードあるいは電子マネーカードなどの機能を有するカードが想定される。
【００５４】
紙幣処理部４５は、図示しない紙幣口に接続されている。紙幣処理部４５は、紙幣口に挿入された紙幣を処理したり、紙幣処理部４５内で処理された釣銭としての紙幣などを紙幣口より排出したりするようなっている。紙幣処理部４５は、紙幣の券種を判定したり、紙幣の真偽を検査したりする機能を有する。
【００５５】
硬貨処理部４７は、図示しない硬貨投入口、及び硬貨放出口に接続されている。すなわち、硬貨処理部４７は、硬貨投入口に投入された硬貨を処理したり、図示しない貯留部に貯留された硬貨を釣銭として硬貨放出口から放出したりするようなっている。
【００５６】
硬貨処理部４７は、投入された硬貨の種類を判定したり、硬貨を検査したり、検査済みの硬貨を貯留部に貯留したり、貯留部から制御部４０により指示された金額の硬貨を放出したりする機能を有する。なお、紙幣処理部４５、及び硬貨処理部４７は、現金処理部として機能する。
【００５７】
発券部５０は、図示しない発券口に接続されている。発券部５０は、乗車券などの券媒体を作成し、作成した券媒体を発券口から排出することにより券媒体の発券処理を行う。例えば、発券部５０は、券紙挿入部、姿勢制御部、カッター部、印字部、回収部、搬送部、パンチ部、エンコード部、保留部、放出口部（何れも図示しない）などを有する。これらの構成により、発券部５０では、ロール紙状の媒体（例えば、磁気記録媒体）を所定のサイズにカットし、カットした券紙に券面印刷および磁気情報の記録などを施して券媒体として発券口から放出するようになっている。
【００５８】
次に図５を参照して、自動券売機１０が実行する回数券処理における案内表示について説明する。図５は、実施形態１に係る自動券売機１０が表示する回数券購入案内表示５１の一例を示す図である。
【００５９】
回数券購入案内表示５１には、回数券購入情報５２と、付与対象情報５３と、が表示される。回数券購入情報５２には、利用者による操作に基づいて情報の入力が必要な、回数券の種類と、利用区間と、利用開始日と、を含む。
【００６０】
回数券の種類は、選択式のタブボタンとなっており、選択肢には、例えば、普通回数券や、時差回数券、などが含まれる。例えば、普通回数券を選択した場合には、利用区間が表示され、時差回数券を選択した場合には、利用区間の代わりに区間運賃が表示される。
【００６１】
利用区間は、選択式のタブボタンとなっており、選択肢には、複数の駅名が含まれる。区間運賃は、選択式のタブボタンとなっており、選択肢には、複数の運賃が含まれる。利用開始日には、回数券の利用を開始する日付を入力する。
【００６２】
また、回数券の種類の情報と、利用区間の情報と、利用開始日の情報が入力されると、制御部４０は、入力された情報に基づいて購入金額を算出し、算出された購入金額と、綴り枚数（回数券の使用可能枚数）と、を表示する。
【００６３】
付与対象情報５３には、回数券の使用権限を付与する無線媒体２０の識別番号が表示される。識別番号の入力の仕方は後述する。また、何枚分の回数券の使用権限（付与回数）を付与するかを選択する選択手段であるタブボタンが、付与する対象となる無線媒体２０毎に設けられている。なお、選択手段は、選択される付与枚数の合計が、所定枚数を超えないように、タブボタンに表示される数字の合計は所定枚数の範囲内の枚数の数字としても良い。
【００６４】
確定ボタンは、利用者の意思決定を確認するためのボタンである。例えば、利用者は、回数券購入情報５２や、付与対象情報５３を入力した後に、確定ボタンを押下する。
【００６５】
次に、図６を参照して、自動券売機１０が実行する回数券処理の流れを説明する。図６は、実施形態１に係る自動券売機１０が実行する回数券処理の流れの一例を示すフローチャートである。なお、説明を分かり易くするために、一度目に提示される無線媒体２０を第１の無線媒体２０とし、二度目以降に提示される無線媒体２０を第２の無線媒体２０として記述する。
【００６６】
表示部４１が利用者の操作入力により回数券の購入要求を受け付けた場合、制御部４０は、回数券処理プログラムを実行する。
【００６７】
まず、制御部４０は、表示部４１に、例えば、「ＩＣカードを提示してください」などの案内を表示させる（ステップＳ１００）。カード処理部４３が有する読取手段は、案内表示に従って提示された利用者が所有する第１の無線媒体２０から乗車券情報１００や、ＳＦ情報１０２、回数券情報１０３などのメモリ２４に記録されている回数券の権利の情報や無線媒体２０の識別番号を取得する（ステップＳ１０１）。
【００６８】
次に、制御部４０は、図５に例示した回数券購入案内表示５１を表示部４１に表示させる（ステップＳ１０２）。制御部４０は、利用者がタッチパネル４１ａで操作し入力された回数券購入情報５２を取得する（ステップＳ１０３）。
【００６９】
制御部４０は、取得した回数券購入情報５２に基づいて、購入金額を算出し、購入金額と綴り枚数とを表示する。さらに、制御部４０は、利用者により確定ボタンが押下された後に、購入金額分の紙幣、もしくは硬貨を、紙幣処理部４５、もしくは硬貨処理部４７に投入するよう促すための案内を表示しても良い。なお、回数券購入情報５２の入力が完了するまでの間、確定ボタンが押下されないように、確定ボタンの表示をグレーアウトさせておいても良い。
【００７０】
制御部４０は、紙幣処理部４５、もしくは硬貨処理部４７が受領した金額情報から回数券購入のための精算処理を行う（ステップＳ１０４）。つまり、制御部４０は、利用者によって操作され、所定枚数からなる回数券の権利を販売する販売手段として自動券売機１０が機能するように制御する。
【００７１】
次に、制御部４０は、第１の無線媒体２０の識別番号を表示し、「このＩＣカードに何回分の回数券を付与しますか？」などの案内表示を表示部４１に表示させる（ステップＳ１０５）。
【００７２】
続いて、利用者は、提示している第１の無線媒体２０に、自動券売機１０が販売した回数券の所定枚数を付与できる回数券の範囲の上限として、何枚分の回数券（第１の枚数）を付与するかを選択する（ステップＳ１１３）。制御部４０は、利用者により付与する第１の枚数が選択された後に確定ボタンが押下されたか否かを判定する（ステップＳ１０６）。確定ボタンが押下された場合、制御部４０は、第１の無線媒体２０への付与する第１の枚数が確定されたと判定する（ステップＳ１０６、Ｙｅｓ）。つまり、制御部４０は、第１の枚数の回数券の権利を利用者が提示する第１の無線媒体２０の識別番号に対応付け、第１の枚数の回数券の権利を第１の無線媒体２０に記録する（第１の手段）。
【００７３】
次に、制御部４０は、確定された付与枚数の合計が所定枚数以下か否かを判定する（ステップＳ１０７）。確定された付与枚数の合計とは、第１の枚数と後述する第２の枚数の合計枚数を示す。確定された付与枚数の合計が所定枚数より多い場合は、「購入枚数を超えています」などの注意表示を表示し（ステップＳ１０８）、再度、付与枚数を選択させる。
【００７４】
また、確定された付与枚数の合計が所定枚数より少ない場合（ステップＳ１０９、Ｎｏ）、カード処理部４３が有する記録手段は、提示されている第１の無線媒体２０に、利用者が選択した第１の枚数の回数券の権利の情報を記録する（ステップＳ１１０）。
【００７５】
制御部４０は、記録が完了したら、提示されている第１の無線媒体２０を利用者へ返却し、「次のＩＣカードを提示してください」などの案内を表示する（ステップＳ１１１）。つまり、所定枚数と第１の枚数との差の枚数の範囲内の第２の枚数の回数券の権利を第１の無線媒体２０とは異なる第２の無線媒体２０に記録するために、利用者に第２の無線媒体２０の提示するよう促す。
【００７６】
制御部４０は、確定された付与枚数の合計が所定枚数と等しくなるまで（ステップＳ１０９、Ｙｅｓ）、ステップＳ１０５からステップＳ１０９までの処理を繰り返す。つまり、第２の無線媒体２０は複数存在しても良く、例えば、所定枚数が１１枚の場合、第１の無線媒体２０に１枚分の回数券の権利を付与し、１０枚の異なった第２の無線媒体２０に１枚分ずつ回数券の権利を付与しても良い。つまり、制御部４０は、所定枚数と第１の枚数との差の枚数の範囲内の第２の枚数の回数券の権利を第１の無線媒体２０とは異なる第２の無線媒体２０の識別番号に対応付け、第２の枚数の回数券の権利を第２の無線媒体２０に記録する第２の手段を有する。
【００７７】
また、確定された付与枚数の合計が所定枚数と等しい場合（ステップＳ１０９、Ｙｅｓ）、カード処理部４３が有する記録手段は、提示されている第２の無線媒体２０に、利用者が選択した第２の枚数の回数券の情報を記録し（ステップＳ１１２）、提示されている第２の無線媒体２０を利用者へ返却し、回数券処理を終了させる。
【００７８】
以上は、回数券販売時における、回数券処理について説明したが、回数券を付与するのは回数券販売時に限らない。例えば、すでに回数券の権利の情報を有している第１の無線媒体２０から任意の枚数を第２の無線媒体２０に分け与える処理を行っても良い。
【００７９】
図７を用いて、すでに回数券の権利の情報を有している第１の無線媒体２０から任意の所有枚数を他の無線媒体２０に分け与える処理について説明する。
【００８０】
図７は、実施形態１に係る自動券売機１０が実行する回数券の販売を伴わない回数券処理の流れの一例を示すフローチャートである。なお、図６の説明と同一の説明は適宜省略する。なお、説明を分かり易くするために、一度目に提示される無線媒体２０を第１の無線媒体２０とし、二度目以降に提示される無線媒体２０を第３の無線媒体２０として記述する。
【００８１】
自動券売機１０は、提示されている第１の無線媒体２０から第１の無線媒体２０が保有している回数券の枚数の情報を読取り取得し（ステップ２０１）、回数券の枚数を表示し、「何回分付与しますか？」などの案内を表示する（ステップＳ２０２）。以下では、第１の無線媒体２０が有する回数券の枚数が、付与できる回数券の範囲の上限である所定枚数となる。
【００８２】
次に、表示部４１は、利用者からの情報入力を受け付ける受付手段として、回数券の権利を付与する対象となる第３の無線媒体２０に回数券の権利を付与する付与枚数である第３の枚数の入力を受け付ける（ステップＳ２０３）。
【００８３】
制御部４０は、受け付けた付与枚数である第３の枚数が、所定枚数である提示されている第１の無線媒体２０から読み取られた回数券の枚数の範囲内か否かを判定する（ステップＳ２０４）。
【００８４】
付与枚数が所定枚数を超えている場合（ステップＳ２０４、Ｎｏ）、「所有枚数を超えています」などの案内表示を行い（ステップＳ２０５）、再度、付与枚数を選択させる（ステップＳ２０３）。
【００８５】
一方、付与枚数が所定枚数の範囲内の場合（ステップＳ２０４、Ｙｅｓ）、第１の無線媒体２０から読み取られた回数券の枚数と入力された第３の枚数との差の枚数の回数券の権利の情報を第１の無線媒体２０に記録し、記録が終了したら第１の無線媒体２０を返却する（ステップＳ２０６）。
【００８６】
次に、付与の対象となる第３の無線媒体２０の提示を促すために、「付与するＩＣカードを提示してください」などの案内を表示する（ステップＳ２０８）。
【００８７】
カード処理部４３が有する読取手段は、案内表示に従って提示された利用者が所有する第３の無線媒体２０から乗車券情報１００や、ＳＦ情報１０２、回数券情報１０３などのメモリ２４に記録されている回数券の権利の情報や無線媒体２０の識別番号を取得する（ステップＳ２０９）。
【００８８】
続いて、利用者は、提示している第３の無線媒体２０に、第３の枚数の回数券の範囲を上限として、何枚分の回数券を付与するかを選択する（ステップＳ２１７）。制御部４０は、利用者により付与する回数券の枚数が選択された後に確定ボタンが押下されたか否かを判定する（ステップＳ２１０）。
【００８９】
確定ボタンが押下された場合、制御部４０は、第３の無線媒体２０への付与する回数券の枚数が確定されたと判定する（ステップＳ２１０、Ｙｅｓ）。
【００９０】
次に、制御部４０は、確定された付与枚数の合計が所定枚数の範囲内か否かを判定する（ステップＳ２１１）。確定された付与枚数の合計とは、第３の無線媒体２０に付与する回数券の枚数の合計である。第２の無線媒体２０と同様に、第３の無線媒体２０は、回数券を分け合う対象を示しているため、所定枚数の範囲内の回数券の枚数と同数まで存在して良い。確定された付与枚数の合計が所定枚数より多い場合は、「購入枚数を超えています」などの注意表示を表示し（ステップＳ２１２）、再度、付与枚数を選択させる。
【００９１】
また、確定された付与枚数の合計が所定枚数より少ない場合（ステップＳ２１３、Ｎｏ）、カード処理部４３が有する記録手段は、提示されている第１の無線媒体２０に、利用者が選択した枚数の回数券の権利の情報を記録する（ステップＳ２１４）。
【００９２】
制御部４０は、記録が完了したら、提示されている第３の無線媒体２０を利用者へ返却し、「次のＩＣカードを提示してください」などの案内を表示する（ステップＳ２１５）。つまり、所定枚数と第３の無線媒体２０に記録した枚数との差の枚数の範囲内の枚数の回数券の権利を別の第３の無線媒体２０に記録するために、利用者に別の第３の無線媒体２０の提示するよう促す。
【００９３】
制御部４０は、確定された付与枚数の合計が所定枚数と等しくなるまで（ステップＳ２１３、Ｙｅｓ）、ステップＳ２０８からステップＳ２１３までの処理を繰り返す。つまり、第３の無線媒体２０は複数存在しても良く、例えば、第３の枚数が５枚の場合、第１の無線媒体２０から５枚分の回数券の権利を剥奪し、５枚の異なった第３の無線媒体２０に１枚分ずつ回数券の権利を付与しても良い。
【００９４】
また、確定された付与枚数の合計が所定枚数と等しい場合（ステップＳ２１３、Ｙｅｓ）、カード処理部４３が有する記録手段は、提示されている第３の無線媒体２０に、利用者が選択した枚数の回数券の情報を記録し（ステップＳ２１６）、提示されている第３の無線媒体２０を利用者へ返却し、回数券処理を終了させる。
【００９５】
以上説明した実施形態１に係る自動券売機１０によれば、無線媒体２０に書き込まれた利用者が購入した回数券の利用可能な枚数の範囲内で、他の無線媒体２０に当該所有枚数を任意の数だけ付与することができる。これによって、従来では、磁気券でしかできなかった回数券の分配が無線媒体２０でも可能となり、利用者は、磁気券だけでなく無線媒体２０でも回数券の割引を享受しやすくなる。
【００９６】
なお、以上の説明では、駅務装置を自動券売機１０として説明したが、その限りではなく、例えば、リーダライタなど無線機器と通信し、情報の読取り手段と記録手段とを有する別の駅務装置を用いても良い。
【００９７】
（実施形態２）
実施形態１では、提示される無線媒体２０に対する回数券処理を自動券売機１０が単独で行う実施形態について説明した。
【００９８】
実施形態２では、利用者がインターネット上で回数券の権利を購入し、インターネット上で購入した回数券の所定枚数を付与できる回数券の範囲の上限として回数券の権利を付与することができる回数券処理システム２について、図を用いて説明する。なお、実施形態１と同一の構成には同一の符号を付し、重複する説明は適宜省略する。
【００９９】
図８は、実施形態２に係る回数券処理システム２の構成の一例を示した図である。
【０１００】
回数券処理システム２は、駅務システム１と、サーバ装置７０と、を有する。利用者は、情報端末装置７１を介してサーバ装置７０にアクセスし、回数券の購入や、回数券の権利付与に関する情報入力受付などを行う。
【０１０１】
サーバ装置７０は、ＷＥＢサイト作成部７０ａと、記憶部７０ｂと、を有する。
【０１０２】
ＷＥＢサイト作成部７０ａは、利用者の操作指示に基づいて回数券を販売する販売手段として機能するＷＥＢサイトを作成し、保持する。また、ＷＥＢサイトは、利用者の操作指示に基づいて回数券の権利を他の無線媒体２０に分け与えるための情報の入力を受け付ける入力手段としても機能する。
【０１０３】
記憶部７０ｂは、ＷＥＢサイトで販売した回数券の権利の情報、回数券購入情報５２、及び付与対象情報５３と利用者が所有する無線媒体２０の識別番号とを対応付けて記憶する記憶手段として機能する。
【０１０４】
情報端末装置７１は、サーバ装置７０が有するＷＥＢサイトへアクセスするためのＷＥＢアクセス機能を有する。情報端末装置７１は、例えば、スマートフォンや、コンピュータなどである。情報端末装置７１に表示される回数券購入情報や付与対象情報は図５と同じ画面、タッチパネルである。
【０１０５】
次に、図９を用いて、回数券処理システム２の回数券処理の流れを説明する。図９は、実施形態２に係る回数券処理システム２の回数券処理の流れの一例を示す図である。
【０１０６】
まず、情報端末装置７１は、利用者から受け付けた回数券購入情報５２や、付与対象情報５３、及び購入者情報、をサーバ装置７０が有するＷＥＢサイトへ送信する（ステップＳ３０１）。なお、購入者情報は、購入者（利用者）の氏名や、年齢、住所といった個人情報である。付与対象情報５３は図６で説明したように、利用者が所有する第１の無線媒体２０の識別番号と回数券の権利付与枚数の情報、及び第２の無線媒体２０の識別番号と回数券の権利付与枚数の情報とからなる。
【０１０７】
サーバ装置７０が有するＷＥＢサイトは、情報端末装置７１から受信した回数券購入情報５２に基づいて、回数券の購入金額と、回数券の綴り枚数と、を情報端末装置７１に送信し、購入確認を行う（ステップＳ３０２）。
【０１０８】
情報端末装置７１は、利用者から受け付けた購入に必要な情報（例えば、クレジットカードの情報）をＷＥＢサイトに送信する（ステップＳ３０３）。サーバ装置７０は、受信した情報に基づいて購入処理を完了させる（ステップＳ３０４）。
【０１０９】
サーバ装置７０が有する記憶部７０ｂは、付与対象情報５３に基づき、複数の無線媒体２０の識別番号に対応付けてそれぞれの無線媒体２０に付与された回数券情報１０３を記憶する（ステップＳ３０５）。つまり、販売された所定枚数からなる回数券の権利のうち、第１の枚数の回数券の権利を利用者が所有する第１の無線媒体２０の識別番号に対応付けて記憶する第１の記憶手段として機能する。
【０１１０】
なお、図６に例示するように、回数券の所有枚数を付与する無線媒体２０は複数である。つまり、販売された回数券の権利のうち、所定枚数と前記第１の枚数との差の枚数の範囲内の第２の枚数の回数券の権利を第１の無線媒体２０とは異なる第２の無線媒体２０の識別番号に対応付けて記憶する第２の記憶手段としても機能する。
【０１１１】
ここまでの、ステップＳ３０１からステップＳ３０５までの処理が、回数券購入と回数券の権利を他の無線媒体２０に付与するまでの流れである。次に、購入した回数券購入情報５２を後日、無線媒体２０へ記録する流れを説明する。なお、以下の処理については、第１の無線媒体２０と、第２の無線媒体２０を区別する必要がないため、両者を無線媒体２０と記載する。
【０１１２】
利用者が購入した回数券購入情報５２とそれぞれの無線媒体２０に付与された回数券の権利情報は、サーバ装置７０が記憶している。つまり、利用者は、駅改札口などに設置されている駅務装置を用いて、サーバ装置７０が記憶している回数券購入情報５２を、付与対象である無線媒体２０に記録する必要がある。
【０１１３】
自動券売機１０は、利用者からＷＥＢサイトで購入した回数券購入情報５２を無線媒体２０に付与する要求を受け付けた場合、まず、提示されている無線媒体２０から記録情報を読み取る（ステップＳ３０６）。
【０１１４】
自動券売機１０が有する送信手段は、読取った記録情報が有する無線媒体２０の識別番号をサーバ装置７０に送信し、回数券情報を問合せる（ステップＳ３０７）。
【０１１５】
サーバ装置７０は、自動券売機１０から無線媒体２０の識別番号を受信し、当該識別番号に対応付けて記憶部７０ｂに記憶した第１の枚数の回数券の権利の情報を自動券売機１０に送信する（ステップＳ３０８）。
【０１１６】
自動券売機１０が有する受信手段は、受信した回数券の権利の情報を無線媒体２０に記録し（ステップＳ３０９）、記録が完了したら（ステップＳ３１０）、記録が完了したことをサーバ装置７０に通知し（ステップＳ３１１）、サーバ装置７０は当該回数券の権利の情報を記憶部７０ｂから削除する（ステップＳ３１２）。また、他の無線媒体２０に回数券の権利の情報を記録するときも上記と同様のステップで行われる。
【０１１７】
以上説明した実施形態２に係る回数券処理システムによれば、利用者は、回数券の利用可能な回数分（所定枚数）の範囲内で、他の無線媒体２０に当該所有枚数を任意の数だけ付与する処理を、サーバ装置７０を通じて利用することできる。その結果として、利用者は、回数券の権利をより容易に分け与えることができ、ひいては、より簡便に回数券の割引を享受できる。
【０１１８】
なお、以上の説明では、駅務装置を自動券売機１０として説明したが、その限りではなく、例えば、リーダライタなど無線機器と通信し、情報の読取手段と記録手段とを有する別の駅務装置を用いても良い。
【０１１９】
なお、上述した実施形態１，２に係る駅務装置における処理はいくつかのソフトウェアによって実行することが可能である。このため、上記処理の手順を実行するいくつかのプログラムを格納したコンピュータ読み取り可能な記憶媒体を通じてこれらプログラを駅務装置へインストールして実行するだけで、上記処理を容易に実現することができる。例えば、駅務装置は、上記プログラムをネットワーク経由でダウンロードし、ダウンロードしたプログラムを記憶し、プログラムのインストールを完了することができる。或いは、自動券売機１０は、上記プログラムを情報記憶媒体から読み取り、読み取ったプログラムを記憶し、プログラムのインストールを完了することができる。
【０１２０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２１】
１  駅務システム
２  回数券処理システム
１０  自動券売機
１１  自動改札機
１２  自動精算機
１３  定期券発券機
１４  サーバ
１５  ネットワーク
１６  広域ネットワーク
２０  無線媒体
２４  メモリ
２５  送受信回路
２６  アンテナ
２７  電源生成部
４０  制御部
４０ｂ  メモリ
４１  表示部
４１ａ  タッチパネル
４２  係員用表示部
４２ａ  タッチパネル
４３  カード処理部
４４  音声部
４５  紙幣処理部
４６  データメモリ
４７  硬貨処理部
４８  通信部
５０  発券部
５１  回数券購入案内表示
５２  回数券購入情報
５３  付与対象情報
５６  アンテナ
７０  サーバ装置
７０ａ  ＷＥＢサイト作成部
７０ｂ  記憶部
７１  情報端末装置
１００  乗車券情報
１０１  定期券情報
１０２  ＳＦ情報
１０３  回数券情報
【図１】
2018169917.tif 000003
【図２】
2018169917.tif 000004
【図３】
2018169917.tif 000005
【図４】
2018169917.tif 000006
【図５】
2018169917.tif 000007
【図６】
2018169917.tif 000008
【図７】
2018169917.tif 000009
【図８】
2018169917.tif 000010
【図９】
2018169917.tif 000011